(57)【要約】【課題】簡易な構成で、良好な信号伝送特性を安定的に得ることを可能とする。【解決手段】ケーブル状信号伝送媒体ＳＣが連結される絶縁ハウジング１１に、信号導電コンタクト１２を覆うハウジング蓋部１１ｄを開閉可能に設けるとともに、そのハウジング蓋部１１ｄに、同軸ケーブルＳＣの中心導体ＳＣａに弾性的に接触して押圧する弾性押圧部１１ｅを設けて、同軸ケーブルＳＣの中心導体ＳＣａに誘電体をなすハウジング蓋部１１ｄを隣接配置することで、誘電率を低下させて静電容量を小さくし、伝送信号に対する特性インピーダンスのマッチング度合い（ＶＳＷＲ）を容易かつ適切に整合可能とする一方、ハウジング蓋部１１ｄの弾性押圧部１１ｅから付与される直接的かつ弾性的な押圧作用によって電気コネクタ全体の低背化を行うとともに、ハウジング蓋部１１ｄの押圧作用が長期にわたって安定的に維持される構成としたものである。【選択図】図９
2015076186.tif 000002
【特許請求の範囲】
【請求項１】
ケーブル状信号伝送媒体の端末部分が連結される絶縁ハウジングを有し、その絶縁ハウジングに、前記ケーブル状信号伝送媒体の中心導体が接続される信号導電コンタクトが取り付けられた電気コネクタにおいて、
前記絶縁ハウジングには、前記信号導電コンタクトを覆うハウジング蓋部が開閉可能に設けられているとともに、
前記ハウジング蓋部には、前記同軸ケーブルの中心導体に弾性的に接触して当該同軸ケーブルの中心導体を前記信号導電コンタクトに向けて押圧する弾性押圧部が設けられていることを特徴とする電気コネクタ。
【請求項２】
前記弾性押圧部は、前記信号導電コンタクトに向かう突形状をなすように形成されていることを特徴とする請求項１記載の電気コネクタ。
【請求項３】
前記絶縁ハウジングには、当該絶縁ハウジングの外表面を覆う導電性シェルが取り付けられているとともに、
前記導電性シェルに、前記ハウジング蓋部に対して外方側から重なり合うシェル蓋部が開閉可能に設けられ、そのシェル蓋部の閉塞時に、当該シェル蓋部の内面が前記弾性押圧部に圧接する構成になされたものであって、
前記ハウジング蓋部には、前記シェル蓋部の内面が接触する当接受け部が前記弾性押圧部に隣接して設けられていることを特徴とする請求項１記載の電気コネクタ。
【請求項４】
前記当接受け部は、前記弾性押圧部に対して、前記同軸ケーブルの中心導体の延在方向およびその直交方向に隣接するように配置されていることを特徴とする請求項３記載の電気コネクタ。
【請求項５】
前記ハウジング蓋部に設けられた弾性押圧部は、前記同軸ケーブルの中心導体が接触する前記信号導電コンタクトと、嵌合相手の電気コネクタに設けられた信号導電コンタクトとの接続部位に対向するように配置されていることを特徴とする請求項１記載の電気コネクタ。
【発明の詳細な説明】
【技術分野】
【０００１】
本発明は、細線同軸ケーブル等のケーブル状信号伝送媒体が連結される同軸型電気コネクタに関する。
【背景技術】
【０００２】
一般に、携帯電話等の種々の電子機器又は電気機器における信号電送媒体として、細線同軸ケーブル等のケーブル状信号伝送媒体が広く採用されているが、そのケーブル状信号伝送媒体を印刷配線基板に効率的に接続するための同軸型電気コネクタが、例えば下記の特許文献１等において知られている。特許文献１に記載された同軸型電気コネクタでは、絶縁ハウジングの外周側に、略中空円筒状部材からなる外部導体シェルが装着されているとともに、その外部導体シェルの円筒開口部に対してシェル蓋部が開閉可能に連結されており、ケーブル状信号伝送媒体の端末部を内部コンタクトの導体載置部上にセットした後に導体挟持アームを折り曲げて挟持することで電気的な接続を行い、さらに開放状態にあったシェル蓋部を押し倒すようにして閉塞することで組み立てが完了する。
【０００３】
このような構成を有する同軸型電気コネクタによれば、導電コンタクトと同軸ケーブルとを接続するための半田接続作業が省略されることから、組立て作業性が向上されるとともに、半田材の廃棄等による環境的観点の問題が解消され、しかも半田の使用量の差に起因した特性インピーダンスのズレが無くなるという利点も得られる。
【０００４】
しかしながら、従来の同軸型電気コネクタでは、特に近年における伝送信号の高周波化や、電気コネクタの急速な小型化又は低背化が進むに伴って、伝送信号に対する特性インピーダンスのマッチング度合い（ＶＳＷＲ）が不整合状態となる傾向があり、良好な高周波特性を維持することが難しくなりつつある。
【先行技術文献】
【特許文献】
【０００５】
【特許文献１】特開２０１１−４０２６２号公報
【発明の開示】
【発明が解決しようとする課題】
【０００６】
そこで本発明は、簡易な構成で、良好な信号伝送特性を安定的に得ることができるようにした同軸型電気コネクタを提供することを目的とする。
【課題を解決するための手段】
【０００７】
上記目的を達成するため本発明では、ケーブル状信号伝送媒体の端末部分が連結される絶縁ハウジングを有し、その絶縁ハウジングに、前記ケーブル状信号伝送媒体の中心導体が接続される信号導電コンタクトが取り付けられた電気コネクタにおいて、前記絶縁ハウジングには、前記信号導電コンタクトを覆うハウジング蓋部が開閉可能に設けられているとともに、前記ハウジング蓋部には、前記同軸ケーブルの中心導体に弾性的に接触して当該同軸ケーブルの中心導体を前記信号導電コンタクトに向けて押圧する弾性押圧部が設けられた構成が採用されている。
【０００８】
このような構成を有する本発明によれば、同軸ケーブルの中心導体に対して、誘電体をなすハウジング蓋部が隣接するように配置されるために、同軸ケーブルの中心導体近傍の誘電率が低下して静電容量が小さくなることとなり、ハウジング蓋部の厚さを調整することによって同軸ケーブルに関する特性インピーダンスが適宜に調整され、伝送信号に対する特性インピーダンスのマッチング度合い（ＶＳＷＲ）が容易かつ適切に整合されることとなって、高周波信号の伝送が良好に行われる。
【０００９】
また、これと同時に、同軸ケーブルの中心導体がハウジング蓋部の弾性押圧部により直接的に押圧されて信号導電コンタクトとの間で挟持状態になされることから、従来の導体挟持アームのように折曲げた際の塑性変形力により挟持するものに比して、同軸ケーブルの中心導体に対する押圧力が高められることとなって電気コネクタ全体の低背化が行われるとともに、そのハウジング蓋部の弾性押圧部による弾性的な押圧作用によって、当該ハウジング蓋部の押圧作用が長期にわたって安定的に維持される。
【００１０】
また、本発明における前記弾性押圧部は、前記信号導電コンタクトに向かう突形状をなすように形成されていることが望ましい。
【００１１】
このような構成を採用すれば、同軸ケーブルの中心導体に対してハウジング蓋部の弾性押圧部が確実に当接される。
【００１２】
さらに、本発明における前記絶縁ハウジングには、当該絶縁ハウジングの外表面を覆う導電性シェルが取り付けられているとともに、前記導電性シェルに、前記ハウジング蓋部に対して外方側から重なり合うシェル蓋部が開閉可能に設けられ、そのシェル蓋部の閉塞時に、当該シェル蓋部の内面が前記弾性押圧部に圧接する構成になされたものであって、前記ハウジング蓋部には、前記シェル蓋部の内面が接触する当接受け部が前記弾性押圧部に隣接して設けられていることが望ましい。また、前記当接受け部は、前記弾性押圧部に対して、前記同軸ケーブルの中心導体の延在方向およびその直交方向に隣接するように配置されていることが望ましい。
【００１３】
このような構成を採用すれば、閉塞状態になされたシェル蓋部が、ハウジング蓋部の弾性押圧部をはじめとして当接受け部に対しても圧接状態となることから、電気コネクタの低背化が一層良好に行われる。
【００１４】
さらにまた、本発明において前記ハウジング蓋部に設けられた弾性押圧部は、前記同軸ケーブルの中心導体が接触する前記信号導電コンタクトと、嵌合相手の電気コネクタに設けられた信号導電コンタクトとの接続部位に対向するように配置されていることが望ましい。
【００１５】
このような構成を採用すれば、ハウジング蓋部の弾性押圧部からの押圧作用を受ける同軸ケーブルの中心導体が、信号導電コンタクト同士の接続部位に向かって押し付けられることとなり、それによって信号伝送回路が短縮化されて電気的特性が向上されることから、電気コネクタの信号伝送特性が高められる。
【発明の効果】
【００１６】
以上述べたように本発明は、ケーブル状信号伝送媒体の中心導体が接続される信号導電コンタクトを取り付けられた絶縁ハウジングに、信号導電コンタクトを覆うハウジング蓋部を開閉可能に設けるとともに、そのハウジング蓋部に、同軸ケーブルの中心導体に弾性的に接触して押圧する弾性押圧部を設け、同軸ケーブルの中心導体に誘電体をなすハウジング蓋部を隣接配置することで誘電率を低下させて静電容量を小さくし、ハウジング蓋部の厚さの調整により伝送信号に対する特性インピーダンスのマッチング度合い（ＶＳＷＲ）を容易かつ適切に整合可能とすることで高周波信号の伝送を良好に行わせる一方、ハウジング蓋部の弾性押圧部から同軸ケーブルの中心導体に付与される直接的かつ弾性的な押圧作用によって電気コネクタ全体の低背化を行うとともに、ハウジング蓋部の押圧作用が長期にわたって安定的に維持される構成としたものであるから、簡易な構成で、良好な信号伝送特性を安定的に得ることができ、電気コネクタの信頼性を低廉かつ大幅に向上させることができる。
【図面の簡単な説明】
【００１７】
【図１】本発明の一実施形態にかかる同軸型電気コネクタ（プラグコネクタ）に細線同軸ケーブルが連結された状態を背面上方側から表した外観斜視説明図である。
【図２】図１に示された同軸ケーブルが連結された状態のプラグコネクタを背面下方側から表した外観斜視説明図である。
【図３】図１及び図２に示された細線同軸ケーブルが連結された状態のプラグコネクタの平面説明図である。
【図４】図３中の IV−IV 線に沿った横断面説明図である。
【図５】図４中の Ｖで表した領域の部分拡大図である。
【図６】図３中の IV−IV 線に沿った縦断面説明図である。
【図７】図１〜図６に示された本発明の第１の実施形態にかかる同軸型電気コネクタ（プラグコネクタ）に用いられている絶縁ハウジング単体の構造を、ハウジング蓋部が閉塞された状態で表したものであって、（ａ）は背面上方側から表した外観斜視説明図、（ｂ）は正面上方側から表した外観斜視説明図である。
【図８】図７に示された絶縁ハウジングにおけるハウジング蓋部の開放状態を表した正面上方側の外観斜視説明図である。
【図９】図１〜図８に示された同軸型電気コネクタ（プラグコネクタ）に対して細線同軸ケーブルが連結される前の初期状態を正面上方側から表した外観斜視説明図である。
【図１０】図９に示された同軸型電気コネクタ（プラグコネクタ）の正面説明図である。
【図１１】本発明の第１の実施形態にかかる同軸型電気コネクタ（プラグコネクタ）に用いられる細線同軸ケーブルの一例を表した外観斜視説明図である。
【図１２】図９に示された同軸型電気コネクタ（プラグコネクタ）に対して細線同軸ケーブルが連結されたセット状態を正面上方側から表した外観斜視説明図である。
【図１３】図１２に示された同軸型電気コネクタ（プラグコネクタ）の平面説明図である。
【図１４】本発明の一実施形態にかかる同軸型電気コネクタ（プラグコネクタ）が嵌合される相手側電気コネクタ（リセプタクルコネクタ）の一例を表した外観斜視説明図である。
【図１５】本発明の一実施形態にかかる同軸型電気コネクタ（プラグコネクタ）が相手側電気コネクタ（リセプタクルコネクタ）に嵌合された状態を背面上方側から表した外観斜視説明図である。
【図１６】本発明の一実施形態にかかる同軸型電気コネクタ（プラグコネクタ）が相手側電気コネクタ（リセプタクルコネクタ）に嵌合された状態を表した図４相当の横断面説明図である。
【図１７】図１６中の XVIIで表した領域の部分拡大図である。
【発明を実施するための形態】
【００１８】
以下、信号伝送媒体として細線同軸ケーブルを使用する同軸型電気コネクタに本発明を適用した実施形態についての説明を図面に基づいて詳細に行う。
【００１９】
［同軸型電気コネクタの全体構造について］
まず、図１〜図１３に示されている本発明の第１の実施形態にかかる同軸型電気コネクタとしてのプラグコネクタ１０は、ケーブル状信号伝送媒体としての細線同軸ケーブルＳＣの端末部分が連結される構成になされており、所定の印刷配線基板上に実装された相手側の電気コネクタとしてのリセプタクルコネクタ２０（図１４〜図１７参照）に対して、上方から差し込むようにして嵌合又は抜去される構成になされている。その相手側電気コネクタの一例としてのリセプタクルコネクタ２０に対するプラグコネクタ１０の嵌合・抜去作業は、印刷配線基板の平面に対して略直交する方向に行われる。
【００２０】
より具体的には、当該プラグコネクタ１０における主たる嵌合部分を構成しているコネクタ本体部は、概略形状において円筒形状をなすように形成されており、その略円筒形状をなすプラグコネクタ１０のコネクタ本体部に対して、径方向外方側の一方向から細線同軸ケーブルＳＣの端末部が連結され、その細線同軸ケーブルＳＣが連結された状態で、相手側の電気コネクタとしてのリセプタクルコネクタ２０の上方位置に対面するようにプラグコネクタ１０が配置される。そして、当該プラグコネクタ１０の全体が、印刷配線基板の外表面に対して略直交する方向に下降されていくことによってプラグコネクタ１０の下端部分がリセプタクルコネクタ（相手側電気コネクタ）２０の上方側部分に対して嵌合状態になされる（図１５参照）。このようにリセプタクルコネクタ２０に対してプラグコネクタ１０が上方から差し込まれた嵌合状態になされることによって、細線同軸ケーブルＳＣの端末部がプラグコネクタ１０及びリセプタクルコネクタ２０を介して、図示を省略した印刷配線基板上の配線パターン導電路に接続されることとなる。
【００２１】
ここにおいて、リセプタクルコネクタ（相手側電気コネクタ）２０に対してプラグコネクタ１０を差し込む方向を「下方向」とし、それとは反対に抜き出す抜去方向を「上方向」とする。また、プラグコネクタ１０自体において、細線同軸ケーブルＳＣの端末部が接続される部分を「正面側部分」とするとともに、それとは反対側の部分を「背面側部分」とし、さらにその「背面側部分」から「正面側部分」に向かう方向を「コネクタ前方向」、その逆方向を「コネクタ後方向」とする。また、それらの「コネクタ上下方向」及び「コネクタ前後方向」の双方に直交する方向を「コネクタ左右方向」とする。
【００２２】
［同軸ケーブルについて］
さらに、特に図１１に示されているように、ケーブル状信号伝送媒体としての細線同軸ケーブルＳＣは、複数の導線で形成されたケーブル中心導体（信号線）ＳＣａの外周側にケーブル誘電体を介してケーブルシールド導体（シールド線）ＳＣｂが同軸状に積層されているとともに、ケーブルシールド導体（シールド線）ＳＣｂには外周被覆材が装着されている。そして、このような細線同軸ケーブルＳＣの端末部分において外周被覆材が皮剥きされていることによりケーブルシールド導体（シールド線）ＳＣｂが露出状態になされているとともに、ケーブルシールド導体（シールド線）ＳＣｂ及びケーブル誘電体が皮剥きされることによりケーブル中心導体（信号線）ＳＣａが露出状態になされている。
【００２３】
そして、このような細線同軸ケーブルＳＣの中心軸に沿うように配置されたケーブル中心導体ＳＣａが、絶縁ハウジング１１に取り付けられた内部導体コンタクト（シグナル導電コンタクト）１２に接続されることによって信号回路が構成される。また、ケーブル中心導体ＳＣａの外周側を取り囲むように配置されたケーブルシールド導体ＳＣｂにはシールドシェル１３が接続され、当該シールドシェル１３が接地用のグランド導電コンタクトとして機能することでグランド回路が構成されるようになっている。
【００２４】
［絶縁ハウジングについて］
ここで、上述した絶縁ハウジング１１は、図７及び図８に示すように、主たる嵌合部分であるコネクタ本体部を構成する略円板形状の絶縁本体部１１ａを有しているとともに、その絶縁本体部１１ａの下方側部分に、嵌合相手であるリセプタクルコネクタ２０の内方側に挿入される絶縁挿入部１１ｂを一体的に有している。そのうちの絶縁本体部１１ａには、上述した細線同軸ケーブルＳＣの端末部分が載置されるハウジング収容室１１ｃが上方に開口するように形成されているとともに、そのハウジング収容室１１ｃの開口部を上方側から開閉可能とするハウジング蓋部１１ｄが設けられている。
【００２５】
そのうちのハウジング収容室１１ｃは、上述した絶縁本体部１１ａの正面側部分に横断面略半円状をなすように凹設されたケーブル受け部１１ｃ１を有しており、そのケーブル受け部１１ｃ１の内周壁面に、細線同軸ケーブルＳＣのケーブル中心導体（信号線）ＳＣａが載置されて受けられるようになっている。また、このハウジング収容室１１ｃの主室部分は、ケーブル受け部１１ｃ１から連通するように絶縁本体部１１ａの中央部分に平面略矩形状をなすように凹設されており、当該ハウジング収容室１１ｃの主室部分には、内部導体コンタクト（シグナル導電コンタクト）１２が固定されている。その内部導体コンタクト１２の上方側には、細線同軸ケーブルＳＣのケーブル中心導体ＳＣａが載置される。
【００２６】
また、上述したハウジング収容室１１ｃを開閉可能とするように設けられたハウジング蓋部１１ｄは、絶縁本体部１１ａの背面側端縁部分に一体的に連結された細長の舌片状部材から形成されており、絶縁本体部１１ａの背面側端縁部分から前方側の正面側端縁部分に向かって片持ち状をなすように延出している。そして、絶縁本体部１１ａの背面側端縁部分に対する連結部分を中心として上方に立ち上げられた図８および図９の初期の開放状態において、細線同軸ケーブルＳＣの端末部分が絶縁ハウジング１１にセットされ（図１２参照）、その後に、後述するシェル蓋部１３ｂとともに下方に折り曲げられるようにして、細線同軸ケーブルＳＣの上方側に沿って配置される略水平状態となるまで押し倒されることで、図１〜図３に示された閉塞状態になされる。
【００２７】
このときのハウジング蓋部１１ｄは、上述したハウジング収容室１１ｃの上方開口縁部に沿った外形状を備えており、図７に示されたハウジング蓋部１１ｄの閉塞状態においては、ケーブル受け部１１ｃ１を含むハウジング収容室１１ｃの上方開口部のほぼ全面を、ハウジング蓋部１１ｄが上方側から覆う構成になされている。
【００２８】
また、上述したハウジング蓋部１１ｄの略中央部分には、帯板状部材からなる弾性押圧部１１ｅが設けられている。この弾性押圧部１１ｅは、ハウジング蓋部１１ｄの閉塞状態（図７参照）において、ケーブル中心導体（信号線）ＳＣａの延在方向である「コネクタ前後方向」に沿って帯板状をなして延在するように形成されており、その弾性押圧部１１ｅの板幅方向（コネクタ左右方向）の両側部分に形成されたスリット溝を介してハウジング蓋部１１ｄから離間状態になされているとともに、当該弾性押圧部１１ｅの延在方向（コネクタ前後方向）における両端部分が、ハウジング蓋部１１ｄに対して一体的に連結されていることによって弾性的な可撓性を備えたものとなっている。
【００２９】
そして、この弾性押圧部１１ｅは、その延在方向における中央部分が、ハウジング蓋部１１ｄの閉塞状態において下方側に向かって逆山形状をなすように突出する形状になされており、その下方側に突出する逆山形状の頂点部分が、ハウジング蓋部１１ｄの閉塞状態（図７参照）において細線同軸ケーブルＳＣのケーブル中心導体（信号線）ＳＣａに対して上方側から弾性的に接触する配置関係になされている。
【００３０】
すなわち、ハウジング蓋部１１ｄは、後述する内部導体コンタクト（シグナル導電コンタクト）１２の上方側に配置されているとともに、そのハウジング蓋部１１ｄに設けられた弾性押圧部１１ｅが、内部導体コンタクト１２に向かって下方に突出するように形成されており、その内部導体コンタクト１２に対して細線同軸ケーブルＳＣのケーブル中心導体（信号線）ＳＣａが接触する部位に対して、上述した弾性押圧部１１ｅの逆山形状部分が、上方側から対向する配置関係になされている。
【００３１】
また、ハウジング蓋部１１ｄの閉塞状態（図７参照）においては、当該ハウジング蓋部１１ｄの上面部分に、後述するシールドシェル１３のシェル蓋部１３ｂの内面が接触する当接受け部１１ｆが設けられている。シールドシェル１３のシェル蓋部１３ｂについては後段において詳述するが、ハウジング蓋部１１ｄに設けられた当接受け部１１ｆは、適宜の平坦面をなすように形成されたものであって、ケーブル中心導体（信号線）ＳＣａの延在方向である「コネクタ前後方向」において弾性押圧部１１ｅの前方側部分に１体の当接受け部１１ｆが設けられているとともに、ケーブル中心導体（信号線）ＳＣａの延在方向に直交する「コネクタ左右方向」において弾性押圧部１１ｅの両側部分に２体の当接受け部１１ｆ，１１ｆが設けられている。そして、後述するシールドシェル１３のシェル蓋部１３ｂに窪むように形成されたハウジング押圧部１３ｂ５が、上述した当接受け部１１ｆに対して上方側から圧接される構成になされている。
【００３２】
一方、上述した内部導体コンタクト（シグナル導電コンタクト）１２の周囲を外方側から取り囲むようにして、グランドコンタクトとしてのシールドシェル１３が、上述した絶縁本体部１１ａに取り付けられている。このような主たる嵌合部分を構成している絶縁ハウジング１１の絶縁本体部１１ａに対して絶縁挿入部１１ｂは、上述したように絶縁本体部１１ａから下方に向かって一体的に突出する構成になされているが、当該絶縁挿入部１１ｂは、略中空円筒状をなすように形成されている。この絶縁挿入部１１ｂは、上述したように嵌合相手であるリセプタクルコネクタ２０の内方に向かって下端側から挿入される構成になされている。
【００３３】
［シールドシェルについて］
さらに、上述した絶縁本体部１１ａおよび絶縁挿入部１１ｂを有する絶縁ハウジング１１の外側表面は、薄板金属状部材からなるシールドシェル１３の主たる嵌合部分を構成している外部導体シェル１３ａによって覆われている。この外部導体シェル１３ａは、主として絶縁ハウジング１１の絶縁本体部１１ａを径方向外方側から環状に覆うように形成された略中空円筒形状になされている。また、この外部導体シェル１３ａの下方側部分は、上述した絶縁挿入部１１ｂを径方向外方側から環状に覆うシェル挿入部１３ａ１になされているとともに、当該外部導体シェル１３ａの上端側の円筒開口部分には、上述した絶縁本体部１１ａの上面側を覆うシェル蓋部１３ｂが開閉可能に連結されている。
【００３４】
このとき、細線同軸ケーブルＳＣの端末部分を接続して固定する前の初期状態におけるシールドシェル１３は、特に図９および図１０に示されているように、上述した外部導体シェル１３ａに対してシェル蓋部１３ｂが上方側へ開放された状態になされている。すなわち、当該初期状態におけるシェル蓋部１３ｂは、外部導体シェル１３ａの後方側端縁部分に、細幅の板状部材からなる繋ぎ部材１３ｂ１を介して略鉛直上方に立ち上がるように配置されている。また、そのシェル蓋部１３ｂの蓋内面、すなわち当該シェル蓋部１３ｂが閉塞された際に内方側に位置する面には、前述したように絶縁ハウジング１１の絶縁本体部１１ａから上方に立ち上がるように形成された舌片状部材からなるハウジング蓋部１１ｄが、シェル蓋部１３ｂの蓋内面に沿うように配置されている。なお、上述した繋ぎ部材１３ｂ１の設置位置及び設置個数は任意に選定することが可能である。
【００３５】
そして、シールドシェル１３の開放状態（初期状態）において、細線同軸ケーブルＳＣの端末部分が、絶縁ハウジング１１のケーブル受け部１１ｃ１に受けられるように載置されてセットされた後（図１２参照）、繋ぎ部材１３ｂ１がハウジング蓋部１１ｄとともに下方側に向かって略直角に折り曲げられるようにしてシールドシェル１３のシェル蓋部１３ｂが略水平状態まで押し倒されると、それによって絶縁ハウジング１１の絶縁本体部１１ａの全体が、シェル蓋部１３ｂにより上方側から覆われ、シールドシェル１３が閉塞状態になされる。一方、そのシェル蓋部１３ｂとともにハウジング蓋部１１ｄも略水平状態まで押し倒されるが、それによって絶縁本体部１１ａのハウジング収容室１１ｃが、ハウジング蓋部１１ｄにより上方側から閉塞される。
【００３６】
このときのシェル蓋部１３ｂは、上述したように略水平状態まで押し倒されて閉塞された際に、外部導体シェル１３ａの上端側の円筒開口部分を覆うように被せられる構造になされているが、その略水平状態まで押し倒されたシェル蓋部１３ｂの正面側部分には、細線同軸ケーブルＳＣの特にケーブル誘電体およびケーブルシールド導体（シールド線）ＳＣｂを上方側から覆う前方カバー部１３ｂ２が一体的に連設されている。この前方カバー部１３ｂ２は、細線同軸ケーブルＳＣとともに、上述した外部導体シェル１３ａから前方側に突出するケ一ブル保護アーム１３ｂを外方側から覆う構成になされている。
【００３７】
このときのケ一ブル保護アーム１３ｂ６は、細線同軸ケーブルＳＣのケーブルシールド導体（シールド線）ＳＣｂの底部から左右方向の両側を挟むようにして、前述した外部導体シェル１３ａの正面側端縁部分から細線同軸ケーブルＳＣの端末部分に沿って前方側に突出するように設けられている。
【００３８】
また、上述したようにシェル蓋部１３ｂの正面側から突出するように設けられた前方カバー部１３ｂ２の両側縁部には、一対の舌片状部材からなる第１固定保持板１３ｂ３および第２固定保持板１３ｂ４が、フランジ板状をなすように設けられている。そのうちの第１固定保持板１３ｂ３は、細線同軸ケーブルＳＣおよびケ一ブル保護アーム１３ｂ６を外方側から覆うように折り曲げられてカシメ固定される構成になされている。
【００３９】
すなわち、これら一対の第１固定保持板１３ｂ３，１３ｂ３を構成している両側フランジ板は、シェル蓋部１３ｂが略水平状態まで押し倒された際に、ケ一ブル保護アーム１３ｂ６の両側外方に位置するように配置され、その状態からカシメを行うようにケ一ブル保護アーム１３ｂ６の両側外壁面に沿ってコネクタ内方側に折り曲げられ、それによって外部導体シェル１３ａに対するシェル蓋部１３ｂの固定が行われるとともに、細線同軸ケーブルＳＣのケーブルシールド導体（シールド線）ＳＣｂがシェル蓋部１３ｂに固定されるようになっている。また、それと同時に、ケーブルシールド導体（シールド線）ＳＣｂがシールドシェル１３と電気的に接続されることでグランド回路が構成される。
【００４０】
さらに、第２固定保持板１３ｂ４は、上述した第１固定保持板１３ｂ３の前方側に隣接して並列するように設けられており、比較的小型のフランジ板から形成されている。この第２固定保持板１３ｂ４は、細線同軸ケーブルＳＣにおける外周被覆材を外方側から覆うように折り曲げられてカシメ固定される構成になされている。
【００４１】
すなわち、その第２固定保持板１３ｂ４を構成している両側フランジ板は、シェル蓋部１３ｂが略水平状態まで押し倒された際に、細線同軸ケーブルＳＣにおける外周被覆材に位置するように配置され、その状態からカシメを行うようにコネクタ内方側に折り曲げられる。それによって、細線同軸ケーブルＳＣの外周被覆材に対するシェル蓋部１３ｂの固定が行われる。
【００４２】
ここで、前述したシェル蓋部１３ｂのハウジング押圧部１３ｂ５は、絶縁ハウジング１１のハウジング蓋部１１ｄに設けられた当接受け部１１ｆに対応した位置に形成されたものであって、当接受け部１１ｆに対して上方側から対面する位置に平面略矩形状をなすように凹設されている。
【００４３】
より具体的には、ハウジング蓋部１１ｄに設けられた弾性押圧部１１ｅに対して「コネクタ左右方向」の両側部分に配置された一対の当接受け部１１ｆ，１１ｆに対面する細長形状のものと、弾性押圧部１１ｅに対してコネクタ前方側に配置された一体の当接受け部１１ｆに対面する短長形状のものとを有しており、それらハウジング押圧部１３ｂ５の下方側へ突出する平坦面が、前述したようにシェル蓋部１３ｂが略水平状態まで押し倒されて閉塞された際に、絶縁ハウジング１１のハウジング蓋部１１ｄに設けられた当接受け部１１ｆを上方側から下方に押し付ける構成になされている。それによって、ハウジング蓋部１１ｄの弾性押圧部１１ｅが、細線同軸ケーブルＳＣのケーブル中心導体（信号線）ＳＣａに対して確実に圧接されるようになっている。
【００４４】
一方、前述したようにシールドシェル１３における外部導体シェル１３ａの下方側部分を構成しているシェル挿入部１３ａ１は、嵌合相手であるリセプタクルコネクタ２０の径方向外方側部分に外嵌される構成になされており、リセプタクルコネクタ２０の径方向内方側に挿入される絶縁ハウジング１１の絶縁挿入部１１ｂとともにコネクタ連結部分を構成している。より具体的には、このシェル挿入部１３ａ１の挿入側の下端部分には、径方向内方側に向かって突出する環状凹溝からなる連結係合部が形成されており、前述したようにシェル蓋部１３ｂが略水平状態まで押し倒された後に、当該シェル挿入部１３ａ１の連結係合部が、嵌合相手であるリセプタクルコネクタ２０に設けられた連結係止部に対して弾性的な嵌合関係になされるようになっている。
【００４５】
［シグナル導電コンタクトについて］
また、本実施形態において採用されている内部導体コンタクト（シグナル導電コンタクト）１２は、前述した絶縁ハウジング１１の絶縁本体部１１ａに圧入又はインサート成形等により取り付けられているが、細線同軸ケーブルＳＣのケーブル中心導体（信号線）ＳＣａが接続されるケーブル載置部１２ａを有しているとともに、そのケーブル載置部１２ａから下方側に向かって延出するように設けられた弾性バネ部１２ｂが、嵌合相手としてのリセプタクルコネクタ２０に設けられた信号導電コンタクト２２（図１４〜図１７参照）に対して、弾性的に接触する構成になされている。
【００４６】
この内部導体コンタクト（シグナル導電コンタクト）１２のケーブル載置部１２ａは、平坦面状をなして延在する板状部材から形成されており、前述した絶縁ハウジング１１における絶縁本体部１１ａの上表面に載置された状態で固定されている。このケーブル載置部１２ａの表面上には、細線同軸ケーブルＳＣのケーブル中心導体ＳＣａが上方から載置される構成になされており、前述したように絶縁ハウジング１１のケーブル受け部１１ｃ１に細線同軸ケーブルＳＣの端末部分が載置された際に、当該細線同軸ケーブルＳＣのケーブル中心導体ＳＣａが、ケーブル載置部１２ａの表面に対して上方側から載置される。
【００４７】
このようにして細線同軸ケーブルＳＣの端末部分が、絶縁ハウジング１１のケーブル受け部１１ｃ１に載置されてケーブル中心導体ＳＣａが内部導体コンタクト（シグナル導電コンタクト）１２の表面に載置された後には、シールドシェル１３のシェル蓋部１３ｂが、前述した絶縁ハウジング１１のハウジング蓋部１１ｄとともに略水平状態まで押し倒されることとなるが、その際、ハウジング蓋部１１ｄの弾性押圧部１１ｅが、特に図４〜図６に示されているように、細線同軸ケーブルＳＣのケーブル中心導体（信号線）ＳＣａを上方側から押圧する。そのハウジング蓋部１１ｄの弾性押圧部１１ｅによる下方側押圧力を付与されたケーブル中心導体（信号線）ＳＣａは、内部導体コンタクト（シグナル導電コンタクト）１２のケーブル載置部１２ａに対して圧接されて電気的な接続が良好に行われる。
【００４８】
また、上述した導電コンタクト１２のケーブル載置部１２ａの略中央部分には、丸穴形状をなす接続監視穴が貫通形成されているが、当該接続監視穴とほぼ同軸状をなすようにして、後述するリセプタクルコネクタ２０の信号導電コンタクト２２が挿入される貫通孔が、絶縁ハウジング１１の絶縁挿入部１１ｂに形成されている。そのリセプタクルコネクタ２０のコンタクト挿入用の貫通孔は、接続監視穴としての機能を兼ねており、上述した接続監視穴を通して、細線同軸ケーブルＳＣのケーブル中心導体（信号線）ＳＣａの配置状態が下方側から目視可能となっている。
【００４９】
さらに、前述したように内部導体コンタクト（シグナル導電コンタクト）１２のケーブル載置部１２ａは、コネクタ前後方向に延在する板状部材から形成されているが、当該ケーブル載置部１２ａの板幅方向（コネクタ左右方向）における両側端縁部からは、下方側に向かって一対の弾性バネ部１２ｂ，１２ｂが所定の間隔をなして一体的に延出しており、それら二又状をなすように形成された両弾性バネ部１２ｂ，１２ｂ同士の間部分に、後述する嵌合の相手であるリセプタクルコネクタ２０に設けられたピン形状の信号導電コンタクト２２が、圧接状態で挿入されて電気的に接続される構成になされている。
【００５０】
一方、嵌合の相手コネクタであるリセプタクルコネクタ２０は、図１４〜図１７に示されているように、印刷配線基板（図示省略）上に載置される平面略矩形状をなすベース状枠体からなる絶縁ハウジング２１を有しているとともに、その絶縁ハウジング２１の中心部分に、信号伝送用の信号導電コンタクト２２が装着されているとともに、その信号導電コンタクト２２に対して半径方向の外方側を環状に取り囲むようにして接地用のグランドコンタクト２３が装着されている。
【００５１】
［信号導電コンタクトの構成について］
信号導電コンタクト２２は、所定の薄厚金属部材から形成されたものであるが、上述した絶縁ハウジング２１の略中心に相当する位置に、中空のピン形状をなす嵌合接触部が上方に立ち上がるように配置されているとともに、その嵌合接触部の下端部から外方側に向かって接続脚部２２ａが延出している。絶縁ハウジング２１の略中心部分に配置された嵌合接触部は、前述したプラグコネクタ１０の内部導体コンタクト（シグナル導電コンタクト）１２において二股状をなすように設けられた弾性バネ部１２ｂ，１２ｂ同士の間部分に嵌め込まれ、それによって電気的な接続を行う構成になされている。このリセプタクルコネクタ２０の信号導電コンタクト２２に設けられた嵌合接触部が、プラグコネクタ１０の内部導体コンタクト１２に設けられた弾性バネ部１２ｂ，１２ｂに接続される部位に対しては、前述したプラグコネクタ１０におけるハウジング蓋部１１ｄの弾性押圧部１１ｅが、直上位置に対向するように配置されている。
【００５２】
また、上述したように信号導電コンタクト２２の嵌合接触部から延出している接続脚部１２ａは、絶縁ハウジング２１の底面に沿って延在する帯板状部材から形成されており、絶縁ハウジング２１の一端縁から外方側に向かって突出している。この接続脚部２２ａの外方側突出部分または当該接続脚部２２ａの全体は、図示しない印刷配線基板上に形成された信号伝送用の信号導電路に対して半田接合される。
【００５３】
［グランドコンタクトの構成について］
一方、グランドコンタクト２３も、例えば所定の薄厚金属板の折り曲げ部材から形成されており、略円筒状の中空形状をなすように形成されたグランド本体部を有しているとともに、当該円環状をなすグランド本体部の外周部分における下縁には、複数（３体）の接続脚部２３ａが半径方向の外方側に向かって一体的に延出するように設けられている。これらの両接続脚部２３ａは、図示しない印刷配線基板上に形成されたグランド接続用のグランド導電路に対してそれぞれ半田接合される。
【００５４】
このような構成を有する本実施形態によれば、シールドシェル１３のシェル蓋部１３ｂが略水平状態まで押し倒されて閉塞された際に、誘電体をなす絶縁ハウジング１１のハウジング蓋部１１ｄが、細線同軸ケーブルＳＣのケーブル中心導体（信号線）ＳＣａに対して上方側に隣接して配置されることとなり、ケーブル中心導体（信号線）ＳＣａ近傍の誘電率が低下して静電容量が小さくなる。従って、絶縁ハウジング１１のハウジング蓋部１１ｄの厚さを調整することによって細線同軸ケーブルＳＣに関する特性インピーダンスが適宜に調整され、伝送信号に対する特性インピーダンスのマッチング度合い（ＶＳＷＲ）が容易かつ適切に整合されることとなって、高周波信号の伝送が良好に行われる。
【００５５】
また、これと同時に、細線同軸ケーブルＳＣのケーブル中心導体（信号線）ＳＣａが、絶縁ハウジング１１のハウジング蓋部１１ｄに設けられた弾性押圧部１１ｅに直接的に押圧されることによって信号導電コンタクト１２のケーブル載置部１２ａとの間で挟持状態になされることから、従来の導体挟持アームのように折曲げた際の塑性変形力で挟持するものに比して、細線同軸ケーブルＳＣのケーブル中心導体（信号線）ＳＣａに対する押圧力が高められることとなり、電気コネクタ全体が下方に押し込まれて低背化が行われる。また、その細線同軸ケーブルＳＣのケーブル中心導体（信号線）ＳＣａに対するハウジング蓋部１１ｄの弾性押圧部１１ｅによる弾性的な押圧作用によって、ハウジング蓋部１１ｄからの押圧作用が長期にわたって安定的に維持される。
【００５６】
さらに本実施形態においては、弾性押圧部１１ｅが内部導体コンタクト（シグナル導電コンタクト）１２に向かう突形状をなすように形成されていることから、細線同軸ケーブルＳＣのケーブル中心導体（信号線）ＳＣａに対してハウジング蓋部１１ｄの弾性押圧部１１ｅが確実に当接される。
【００５７】
さらにまた、本実施形態においては、閉塞状態になされたシールドシェル１３のシェル蓋部１３ｂに設けられたハウジング押圧部１３ｂ５が、ハウジング蓋部１１ｄに設けられた当接受け部１１ｆに対しても圧接状態となることから低背化が一層良好に行われる。
【００５８】
加えて、本実施形態におけるハウジング蓋部１１ｄの弾性押圧部１１ｅは、細線同軸ケーブルＳＣのケーブル中心導体（信号線）ＳＣａが接触する内部導体コンタクト（シグナル導電コンタクト）１２の弾性バネ部１２ｂ，１２ｂと、嵌合の相手コネクタであるリセプタクルコネクタ２０に設けられた信号導電コンタクト２２の嵌合接触部との接続部位の直上位置に対向するように配置されていることから、ハウジング蓋部１１ｄの弾性押圧部１１ｅからの押圧作用を受ける細線同軸ケーブルＳＣのケーブル中心導体（信号線）ＳＣａが、信号導電コンタクト１２，２２同士の接続部位に向かって押し付けられる。その結果、信号伝送回路の短縮化が図られて電気的特性が向上され、電気コネクタの信号伝送特性が高められる。
【００５９】
以上、本発明者によってなされた発明を実施形態に基づき具体的に説明したが、本実施形態は上述した実施形態に限定されるものではなく、その要旨を逸脱しない範囲で種々変形可能であるというのはいうまでもない。
【００６０】
例えば、上述した実施形態は、垂直嵌合型の電気コネクタに本発明を適用したものであるが、水平嵌合型の電気コネクタに対しても同様に適用することができる。
【００６１】
また、本発明は、上述した実施形態のような単芯の細線同軸ケーブル用コネクタに限定されることはなく、多極状に配置された同軸ケーブル用コネクタや、同軸ケーブルと絶縁ケーブルとが複数混合したタイプの電気コネクタ等についても同様に適用することが可能である。
【産業上の利用可能性】
【００６２】
以上のように本実施形態は、各種電気機器に使用される多種多様な電気コネクタに対して広く適用することが可能である。
【符号の説明】
【００６３】
１０  プラグコネクタ（同軸型電気コネクタ）
１１  絶縁ハウジング
１１ａ  絶縁本体部
１１ｂ  絶縁挿入部
１１ｃ  ハウジング収容室
１１ｃ１  ケーブル受け部
１１ｄ  ハウジング蓋部
１１ｅ  弾性押圧部
１１ｆ  当接受け部
１２  内部導体コンタクト（シグナル導電コンタクト）
１２ａ  ケーブル載置部
１２ｂ  弾性バネ部
１３  シールドシェル（グランドコンタクト）
１３ａ  外部導体シェル
１３ａ１  シェル挿入部
１３ｂ  シェル蓋部
１３ｂ１  繋ぎ部材
１３ｂ２  前方カバー部
１３ｂ３  第１固定保持板
１３ｂ４  第２固定保持板
１３ｂ５  ハウジング押圧部
１３ｂ６  ケ一ブル保護アーム
ＳＣ  細線同軸ケーブル（ケーブル状信号伝送媒体）
ＳＣａ  ケーブル中心導体（信号線）
ＳＣｂ  ケーブルシールド導体（シールド線）
２０  リセプタクルコネクタ（相手側の電気コネクタ）
２１  絶縁ハウジング
２２  信号導電コンタクト
２２ａ  接続脚部
２３  接地用グランドコンタクト
２３ａ  接続脚部
【図１】
2015076186.tif 000003
【図２】
2015076186.tif 000004
【図３】
2015076186.tif 000005
【図４】
2015076186.tif 000006
【図５】
2015076186.tif 000007
【図６】
2015076186.tif 000008
【図７】
2015076186.tif 000009
【図８】
2015076186.tif 000010
【図９】
2015076186.tif 000011
【図１０】
2015076186.tif 000012
【図１１】
2015076186.tif 000013
【図１２】
2015076186.tif 000014
【図１３】
2015076186.tif 000015
【図１４】
2015076186.tif 000016
【図１５】
2015076186.tif 000017
【図１６】
2015076186.tif 000018
【図１７】
2015076186.tif 000019